(57)【要約】  簡便な光学系を用いながら撮像精度を向上させる。撮像装置（１）は、光源（２）から照射された赤外線の偏光のうち、撮像対象（５）を透過していない非透過光、及び撮像対象（５）内部を散乱せずに透過した透過光を遮断し、撮像対象（５）内部を散乱して透過した透過光を透過させる偏光フィルタ（３）と、偏光フィルタ（３）を透過した光を受光して撮像対象（５）を撮像する撮像素子（４）とを備える。
2017115512.tif 000002
【特許請求の範囲】
【請求項１】
撮像対象として生体情報を含む部位を撮像する撮像装置であって、
赤外線の偏光を照射する光源と、
上記光源から照射された偏光のうち、上記撮像対象を透過していない非透過光、及び上記撮像対象の内部を散乱せずに透過した透過光を遮断し、上記撮像対象の内部を散乱して透過した透過光を透過させる偏光フィルタと、
上記偏光フィルタを透過した光を受光して上記撮像対象を撮像する撮像素子と、を備えることを特徴とする撮像装置。
【請求項２】
上記偏光フィルタは、透過面が上記光源の主偏光面に対して直交するように配置されていることを特徴とする請求項１に記載の撮像装置。
【請求項３】
上記光源は、半導体レーザであることを特徴とする請求項１または２に記載の撮像装置。
【請求項４】
上記半導体レーザは、アイセーフレーザであることを特徴とする請求項３に記載の撮像装置。
【請求項５】
請求項１〜４のいずれか１項に記載の撮像装置を備えることを特徴とする生体認証装置。
【請求項６】
上記光源は、上記撮像対象である指に対して当該指の背側から赤外線の偏光を照射し、
上記撮像素子は、上記指の腹側に配置されており、
上記偏光フィルタは、上記指と上記撮像素子との間に配置されており、
上記撮像素子が撮像した上記指の腹側の撮像画像を用いて生体認証を行うことを特徴とする請求項５に記載の生体認証装置。
【請求項７】
上記撮像装置は、
上記指の背側に配置された第２の撮像素子と、
上記指と上記第２の撮像素子との間に配置され、上記指の表面において反射した光を遮断し、上記指の内部において反射した光を透過させる第２の偏光フィルタと、をさらに備えており、
上記撮像素子が撮像した上記指の腹側の撮像画像と、上記第２の撮像素子が撮像した上記指の背側の撮像画像とを用いて生体認証を行うことを特徴とする請求項６に記載の生体認証装置。
【発明の詳細な説明】
【技術分野】
【０００１】
本発明は、生体情報を含む部位を撮像する撮像装置及び当該撮像装置を備える生体認証装置に関する。
【背景技術】
【０００２】
静脈等のように皮下に位置する生体を撮影する場合、手の平側または指の腹側から光を照射し、手の甲側または指の背側から透過した透過光を用いる方法がある。例えば、特許文献１には、ドアノブ等のグリップを握りしめた状態で、指の腹側から光を照射し、指の背側に配置した撮像部が当該指を透過した透過光を検出することにより、指の静脈パターンを得る方法が開示されている。
【先行技術文献】
【特許文献】
【０００３】
【特許文献１】日本国公開特許公報「特開２００７−７５１０５公報（２００７年３月２９日公開）」
【発明の概要】
【発明が解決しようとする課題】
【０００４】
しかしながら、特許文献１に開示されている方法では、グリップ等を握りしめた状態で撮像するため、指全体の静脈を用いた認証に適しているのではなく、例えば、指の第１関節と第２関節との間における指の背側の静脈を用いた認証に適した方法である（段落〔００１７〕参照）。【０００５】
また、１本の指の第１関節から第２関節までの領域の静脈パターンを鮮明に撮影するために、指の長手方向に複数の光源を配置する必要があり、さらに光源を配置するための穴の大きさが指の幅よりも小さい必要がある（段落〔００２９〕及び図７参照）。光源を配置するための穴の大きさが指の幅よりも大きい場合、光漏れが生じ、指の輪郭部周辺が漏れ光により飽和したり、漏れ光が指の表面で反射して画像のコントラストが低下したりする可能性がある（段落〔００２９〕参照）。【０００６】
このように、特許文献１に開示されている方法では、鮮明な画像が得られる部位が限られ、また、鮮明な画像を得るためには、複数の光源を細心の注意を払って配置することが求められる。【０００７】
また、指における静脈認証を行うために、指に光を照射しているが、光を照射する指の部位によっては指を透過した光の量に差が生じる。指の関節部分である指の節においては、透過光の量が多いが、指の節と節との間の指の腹においては、指の節と比較して指の厚み及び脂肪の量が増しているため、透過光の量が少ない。そのため、得られる画像では、指の節部分の画像は明瞭であり、静脈は鮮明となるが、指の腹部分の画像は不明瞭であり、静脈は不鮮明となる。【０００８】
指の腹部分の透過光の量を上げるために照射する光量を上げていくと、得られる画像は、指の節部分でハレーション（被写体の周辺が白くぼやける現象）を起こし不鮮明な画像となり、撮像精度が低下してしまう。【０００９】
また、指に光を照射した際に、指と指との間から漏れ出で、直接撮像素子に到達する光もまたハレーションを引き起こす要因となる。【００１０】
そこで、本発明は、上記の問題点に鑑みてなされたものであり、その目的は、簡便な光学系を用いながら撮像精度を向上させることができる撮像装置及び生体認証装置を提供することにある。
【課題を解決するための手段】
【００１１】
本発明の一態様に係る撮像装置は、上記の課題を解決するために、撮像対象として生体情報を含む部位を撮像する撮像装置であって、赤外線の偏光を照射する光源と、上記光源から照射された偏光のうち、上記撮像対象を透過していない非透過光、及び上記撮像対象の内部を散乱せずに透過した透過光を遮断し、上記撮像対象の内部を散乱して透過した透過光を透過させる偏光フィルタと、上記偏光フィルタを透過した光を受光して上記撮像対象を撮像する撮像素子と、を備える。
【発明の効果】
【００１２】
本発明の一態様によれば、簡便な光学系を用いながら撮像精度を向上させることができる。
【図面の簡単な説明】
【００１３】
【図１】本発明の一実施形態に係る撮像装置を示す概略図である。
【図２】本発明の一実施形態に係る光源から照射された光の偏光状態を示す図であり、図中の（ａ）は、光が撮像対象の隙間を通過した際の偏光状態を示しており、（ｂ）は、光が撮像対象の厚みが厚い部分を透過した際の偏光状態を示しており、（ｃ）は、光が撮像対象の厚みが薄い部分を透過した際の偏光状態を示している。
【図３】本発明の一実施形態に係る光源を示す外観図である。
【図４】本発明の一実施形態に係る光源の半導体レーザチップを示す断面図である。
【図５】本発明の一実施形態に係る光源の拡散部材内における光の散乱を示す図である。
【図６】本発明の一実施形態に係る光源の拡散部材の表面形状を示す図である。
【図７】本発明の一実施形態に係る光源の半導体レーザチップ周辺の概略構成を示す図であり、図中の（ａ）は、樹脂部を透視した上面図であり、（ｂ）は、（ａ）のＡ１−Ａ１矢視断面図であり、（ｃ）は、（ａ）のＢ１−Ｂ１矢視断面図であり、（ｄ）は、樹脂部の立体形状を示すための斜視図である。
【図８】本発明の一実施形態に係るカバーが設けられた光源の半導体レーザチップ周辺の概略構成を示す図であり、図中の（ａ）は、樹脂部を透視した上面図であり、（ｂ）は、（ａ）のＡ２−Ａ２矢視断面図であり、（ｃ）は、（ａ）のＢ２−Ｂ２矢視断面図であり、（ｄ）は、樹脂部の立体形状を示すための斜視図である。
【図９】本発明の一実施形態に係る生体認証装置を示す概略図である。
【図１０】本発明の一実施形態に係る生体認証装置を示す概略図である。
【発明を実施するための形態】
【００１４】
〔実施形態１〕
（撮像装置の構成）
本発明に係る撮像装置は、生体認証のために利用者の生体を撮像する撮像装置である。具体的には、生体に照射した光のうち、生体内部を透過する透過光を用いて、利用者の生体を撮像する。撮像対象である生体は、生体情報を含む部位であり、例えば、指が挙げられる。撮像装置が生体情報を含む部位を撮像することにより、指の静脈パターンの生体情報を取得することができる。
【００１５】
以下では、利用者の指を撮像することにより指の静脈パターンを取得する場合を例に挙げて、本発明の一実施形態に係る撮像装置について図１を参照して説明する。図１は、本実施形態に係る撮像装置１を示す概略図である。
【００１６】
撮像装置１は、図１に示すように、光源２、偏光フィルタ３及び撮像素子４を有している。なお、図１では、撮像装置１の構成部材を分かりやすくするために、概略構成のみを示している。
【００１７】
光源２は、赤外線の偏光を照射する光源であり、撮像素子４による撮像画像上で生体情報に十分なコントラストを持たせるために、撮像対象５に向けて光を照射するものである。光源２は、赤外線の偏光を照射する半導体レーザであってもよい。あるいは、無偏光を照射する光源に、特定の波長の光を照射するための波長フィルタと、特定の偏光面を有する光を照射するための偏光フィルタとを設け、赤外線の偏光を照射させるようにしたものを光源２としてもよい。以下では、光源２が赤外線の偏光を照射する半導体レーザである場合を想定して説明する。
【００１８】
半導体レーザでは、半導体レーザチップの活性層から放射された光が、当該半導体レーザチップのへき開した２つの端面の間を何度も往復した後に一方の端面から出射されるため、半導体レーザからの出射光は特定の偏光面を有した光となる。特定の偏光面を有した光を取り出すのに適した半導体レーザとしては、リッジストライプ型の半導体レーザが代表的である。
【００１９】
ここで、光源２として半導体レーザを用いる場合、光源２には上述したような波長フィルタおよび偏光フィルタ等のフィルタを用いる必要がない。これにより、フィルタを透過することによる光のロス、すなわち光源の光の強度の低下を抑えることができ、撮像装置１の撮像精度を向上させることができる。また、フィルタが不要となるため、光源２をコンパクトにすることができ、モバイル機器への搭載も可能である。さらに、フィルタを設ける必要がないため、光源２のコストを低く抑えることができる。
【００２０】
なお、図１では、光源２の照射光が撮像対象５に対して垂直に入射するように光源２を配置している。これは、撮像対象５に対して光を垂直入射させた場合、光の反射を効果的に抑制することができるためである。しかし、本発明は必ずしもこれに限定されるわけではない。例えば、光源２の照射光が撮像対象５に対して斜めに入射するように光源２を配置してもよい。
【００２１】
詳細は後述するが、光源２から撮像対象５に向けて照射された光（ここでは、指の背側から照射された光）の一部は、撮像対象５の内部に入射し、散乱を繰り返しながらその過程で光の一部が静脈によって吸収された後、最終的に撮像対象５における光入射面とは反対側の面（ここでは、指の腹側）から出射される。光源２から撮像対象５に向けて照射された光の他の一部は、撮像対象５の表面で反射される。また、光源２から撮像対象５に向けて照射された光のさらに他の一部は、撮像対象５に遮られることなく、撮像対象５の隙間（ここでは、指と指との間）または周辺を、反射も散乱もせずに通過する。
【００２２】
撮像素子４は、撮像対象５における光入射面とは反対側の面側（ここでは、指の腹側）に配置されており、偏光フィルタ３は、撮像素子４と撮像対象５との間に配置されている。偏光フィルタ３は、光源２から撮像対象５に向けて照射された光のうち、撮像対象５を透過していない、すなわち撮像対象５に遮られることなく撮像対象５の隙間または周辺を通過した非透過光、及び撮像対象５の内部を散乱せずに透過した透過光を遮断し、撮像対象５の内部を、散乱を繰り返しながら撮像対象５を透過した透過光を透過させるフィルタである。具体的には、偏光フィルタ３は、その透過面が光源２の主偏光面に対して直交するように配置されている。詳細は後述するが、これにより偏光フィルタ３は、光源２から照射された光のうち、撮像対象５を透過していない非通過光、及び撮像対象５の内部を散乱せずに透過した透過光を遮断し、撮像対象５の内部を散乱して透過した透過光の一部を透過させる。
【００２３】
撮像素子４は、偏光フィルタ３を透過した光を受光して撮像対象５の撮像を行う。具体的には、撮像素子４は、偏光フィルタ３を透過した光、すなわち撮像対象５の内部を散乱して透過した透過光を受光することにより、生体情報に応じた輝度分布を有する撮像画像を生成する。
【００２４】
（生体撮像の方法）
本実施形態に係る撮像装置１では、撮像対象５の撮像方法として、生体に向けて照射した光のうち生体内部を散乱して透過した透過光を用いて、利用者の生体を撮像する方法を採用している。以下では、利用者の手の指を撮像することにより指の静脈パターンを取得する場合を例に挙げて、撮像装置１による撮像方法について図２を参照して説明する。
【００２５】
図２は、光源２から照射された光の偏光状態を示す図であり、図中の（ａ）は、光が撮像対象５の隙間を通過した際の偏光状態を示しており、（ｂ）及び（ｃ）は、光が撮像対象５の内部で散乱し、撮像対象５を透過または反射した際の光の偏光状態の変化を示している。ここで、（ｂ）及び（ｃ）は、撮像対象５の異なる厚みを有する部分において、光が撮像対象５の内部で散乱し、撮像対象５を透過または反射した際の偏光状態の変化を示している。例えば、図２の（ｂ）は、肉厚が厚い部位である指の腹（節と節との間）部分を示しており、図２の（ｃ）は、肉厚が薄い部位である指の節部分を示している。
【００２６】
なお、図２では、わかりやすく模式的に示すために、（ａ）では撮像対象５の隙間を穴で描き、（ｃ）では、（ｂ）に対して撮像対象５の厚みを薄く描いている。また、図中の矢印は、光の偏光方向を模式的に示している。
【００２７】
光源２より撮像対象５に向けて照射された照射光の一部は、図２の（ａ）に示すように、撮像対象５を透過せずに、撮像対象５の隙間を通過する。撮像対象５の隙間を通過した非透過光は、偏光面が維持されている。なお、撮像対象５を透過せずに、撮像対象５の周辺を通過する非透過光も同様であり、撮像対象の周辺を通過した非透過光も、偏光面が維持されている。
【００２８】
一方、光源２からの照射光の他の一部は、図２の（ｂ）に示すように、撮像対象５の内部で散乱後、撮像対象５を透過あるいは反射する。具体的には、光源２からの照射光の他の一部は、撮像対象５の内部に入射し、散乱を繰り返しながら指の腹側から出射される。その過程で光の一部は静脈によって吸収される。撮像対象５の内部で散乱される光は、様々な方向に散乱されるので、特定の偏光面を有さない状態で出射される。なお、撮像対象５の内部で散乱した後、光源２側に戻る反射光は、特定の偏光面を有さない状態で出射される。
【００２９】
図２の（ｃ）に示すように、撮像対象５の厚みが薄い部分に入射した光も撮像対象５の内部で散乱後、撮像対象５を透過あるいは反射するが、図２の（ｃ）では撮像対象５の厚みが薄いため、光は散乱を受けにくく、透過光の多くは散乱せずに偏光面を維持した状態で出射される。なお、撮像対象５の内部で散乱した後、光源２側に戻る反射光は、特定の偏光面を有さない状態で出射される。
【００３０】
撮像対象５の隙間または周辺を通過した非透過光、偏光面を維持したまま撮像対象５を透過した透過光、及び撮像対象５の内部で散乱を受け特定の偏光面を持つことなく撮像対象５を透過した透過光は、偏光フィルタ３にまで到達する。偏光フィルタ３の透過面は、光源２からの照射光の主偏光面と直交するように配置されているので、撮像対象５の隙間または周辺を通過した非透過光及び偏光面を維持したまま撮像対象５を透過した透過光は偏光フィルタ３を透過しない。一方、撮像対象５の内部を散乱して透過した透過光のうち、偏光フィルタ３の透過面と同じ偏光面を有する光のみ偏光フィルタ３を透過する。
【００３１】
このようにして、撮像対象５の内部を散乱して透過した透過光の一部は偏光フィルタ３を透過し、撮像素子４によって受光される。撮像対象５の内部の静脈部分で散乱後、偏光フィルタ３を透過した光の強度は、静脈以外の部分で散乱後、偏光フィルタ３を透過した光の強度よりも低くなるので、撮像素子４により静脈、すなわち生体情報に応じた輝度分布が再現された撮像画像が生成される。これは、赤外線光が静脈で吸収されやすいことによる。
【００３２】
撮像対象５の隙間または周辺を通過した非透過光が偏光フィルタ３を介さずに撮像素子４に入射すると、撮像対象５の内部を散乱して透過した透過光よりも非透過光の方が光の強度が高いため、非透過光が到達した部分では撮像画像が飽和してしまう。また、非透過光は、ハレーションを引き起こすため、撮像対象５の稜線が不明瞭となる。そこで、本実施形態に係る撮像装置１では、撮像対象５の隙間または周辺を通過した非透過光が偏光フィルタ３によって遮断されるので、生体情報に応じた散乱透過光の輝度分布が良好に再現された撮像画像を得ることができる。
【００３３】
また、図２の（ｂ）及び（ｃ）で示した通り、生体は部位によって肉厚が異なっており、皮膚表面から静脈までの肉厚もまた異なっている。例えば、図２の（ｂ）で示した指の腹部分では肉厚が厚いため、指の腹部分に入射した光は散乱を受けやすく、透過する光量が低下する。一方、図２の（ｃ）で示した指の節部分では肉厚が薄いため、指の節部分に入射した光は散乱を受けにくく、多くの光を透過しやすい。
【００３４】
このように、指の腹部分の光の透過量は指の節部分の光の透過量と比較して少ないため、撮像画像上において、指の腹部分は指の節部分に比べて暗く表示されてしまい、撮像画像上で輝度ムラが生じ、必要とする生体情報が撮像画像上で再現されなくなる虞がある。
【００３５】
このような輝度ムラが生じる場合において、図２の（ｃ）の明るく表示される部分に合わせ、短い露光時間で撮像すると、図２の（ｂ）の暗く表示される部分の画像が黒く塗りつぶされ不鮮明なってしまう。逆に、図２の（ｂ）の暗く表示される部分に合わせ、露光時間を長くして撮像すると、図２の（ｃ）の明るく表示される部分の画像にハレーション及び白飛び等が生じ、十分な生体情報が収集できなくなる。
【００３６】
そこで、図２の（ｂ）の部位と図２の（ｃ）の部位とにおける透過光の偏光比の違いに着目すると、図２の（ｂ）の部位を透過した透過光は、特定の偏光面を有していないのに対して、図２の（ｃ）の部位を透過した透過光は、照射光の主偏光面と同一の偏光面を有する光の強度が高い。
【００３７】
そのため、偏光フィルタ３を、その透過面が光源２の主偏光面に対して直交するように配置することにより、図２の（ｂ）の部位を透過した透過光のうち偏光フィルタ３を透過した透過光と、図２の（ｃ）の部位を透過した透過光のうち偏光フィルタ３を透過した透過光との透過量の差が抑制される。このように、撮像対象５を透過した透過光のうち、光源２の照射光の主偏光面と同一の偏光面を有する光を偏光フィルタ３によって遮断することにより、生体の厚み等による輝度ムラの発生を抑制及び軽減し、真に得たい生体情報（ここでは、静脈における赤外線光の吸収により得られた輝度分布）を良好に再現した撮像画像を得ることができる。このため、得られた撮像画像に特別な画像処理を施すことなく、得られた撮像画像をそのまま生体認証に使用できる。
【００３８】
より詳しく述べると、指の背側から光を照射し、指の腹側に撮像素子４を配置して撮像した場合、図２の（ｂ）に相当する部位、すなわち指の腹部分と比較して、図２の（ｃ）に相当する部位、すなわち指の節部分は、光が透過しやすく、生体による散乱の影響も受けにくい。これは、指の節部分では手の皮が薄く、指の腹部分では手の皮が厚いことによるものと考えられる。指の節部分は散乱の影響を受けにくいため、指の節部分を透過した透過光は照射光の偏光面を維持したまま透過し、図２の（ｃ）に相当する部分が明るく表示されることに寄与している。
【００３９】
このため、偏光フィルタ３によって、撮像対象５の透過光のうち偏光面を維持したまま透過してきた光を遮断することにより、図２の（ｃ）に相当する部分が明るく表示される主たる要因を排除できるため、図２の（ｂ）に相当する部分と図２の（ｃ）に相当する部分とにおける輝度ムラの発生を抑制することが可能となる。これにより、撮像対象５全体にわたって鮮明な撮像画像が得られ、本実施形態に係る撮像装置１の撮像精度を向上させることができる。
【００４０】
また、本実施形態に係る撮像装置１によれば、光源２を細心の注意を払って配置することは求められず、簡便な光学系を用いながら撮像対象５全体にわたって鮮明な撮像画像を得ることができる。したがって、本実施形態に係る撮像装置１によれば、簡便な光学系を用いながら撮像精度を向上させることができる。
【００４１】
また、本実施形態に係る撮像装置１を備えた生体認証装置では、撮像装置１の撮像精度が向上するため、当該撮像装置１が撮像した撮像画像を用いて生体認証を行う生体認証装置の生体認証精度もまた向上する。このような、本実施形態に係る撮像装置１を備える生体認証装置も本発明の範疇に入る。
【００４２】
本実施形態においては、偏光フィルタ３の透過面が、光源２の主偏光面に対して直交するように配置されている場合を例示している。このような配置が最も効果的に機能するのは、撮像対象５に対して、光源２からの照射光が垂直に入射し透過した光を、光源２の光軸方向上に配置した撮像素子４で検出する場合である。
【００４３】
なお、本実施形態においては、光源２、撮像対象５、偏光フィルタ３及び撮像素子４は、光源２の光軸方向に出る光の方向上に並んでいるが、これらの位置関係はこれに限られるものではない。これらの位置関係を調節することにより、偏光フィルタ３を介さなくても、光源２からの照射光が撮像素子４に直接入射することを防ぐことができる。しかしながら、光源２から照射される光は、完全な直線光ではなく、垂直方向及び水平方向にある一定の広がりを持って放射される。
【００４４】
例えば、代表的な赤外線半導体レーザの中には、垂直方向に２０度程度、水平方向に１０度程度の開き角を持って放射されるものがある。このため、光源２の光軸上から外れる位置に撮像素子４を配置したとしても、光源２の光軸方向以外に放射された光が撮像素子４に直接入射する場合がある。このため、このような場合でも、撮像対象５と撮像素子４との間に偏光フィルタ３を介在させ、光源２からの照射光が撮像素子４に直接入射することを除外することが求められる。この場合、光源２から撮像素子４に到達する非透過光の主偏光面を考慮して、非透過光の光量が最小になるように偏光フィルタ３の透過面を配置すればよい。
【００４５】
また、光源２から照射される光が撮像対象５に対して斜めに入射している場合であっても、撮像素子４に到達する非透過光の主偏光面に加えて、撮像素子４に対する光源２の光軸の傾斜を考慮して、撮像素子４に直接到達する光量が最小になるように偏光フィルタ３の透過面を配置すればよい。
【００４６】
〔実施形態２〕
一般的に、半導体レーザを生活空間で用いた場合は、利用者の網膜等の生体に害を及ぼす可能性がある。そこで、本実施形態に係る撮像装置１に用いる光源２は、利用者の生体に対する安全性、特に眼に対する安全性を確保するために、アイセーフレーザから構成されている。
【００４７】
（光源の構成）
本実施形態に係る光源２について、図３〜図６を参照して説明する。図３は、光源２を示す外観図であり、図４は、光源２の半導体レーザチップ１２を示す断面図であり、図５は、光源２の拡散部材６内における光の散乱を示しており、図６は、光源２の拡散部材６の表面形状を示している。
【００４８】
図３に示すように、光源２は、ＣＡＮ型パッケージの半導体レーザである。具体的には、光源２は、図示しない半導体レーザチップ、拡散部材６、ステム７、キャップ８及びリードピン９を有している。ステム７は、基台となる部分であり、一方の端面に、キャップ８が固定されている。ステム７は、リードピン９が配置されるための複数の貫通穴を有しており、リードピン９は、それぞれ貫通穴に挿通された状態でステム７に固定されている。
【００４９】
キャップ８は、半導体レーザチップを含む各種の部品を収容する外装部材である。キャップ８は、ステム７とは反対側の端部に、半導体レーザチップから出射される光を透過させるための拡散部材６を有している。
【００５０】
半導体レーザチップは、例えば、図４に示すように、電極２１ａと電極２１ｂとの間に発光層（活性層）２２及びリッジストライプ２３が介在しているリッジストライプ型の半導体レーザチップ１２である。半導体レーザチップ１２は、上述したように、半導体レーザチップ１２のへき開した端面から特定の偏光面を有した光が出射される。
【００５１】
拡散部材６は、図５に示すように、透明な樹脂またはガラス等から構成されており、内部にはフィラー等の拡散材料１０が充填されている。拡散材料１０として用いられるフィラーは、例えば、シリカ、アルミナ、酸化チタン及びジルコニア等の無機材料、またはこれらの混合物である。
【００５２】
半導体レーザチップから照射された光は、拡散部材６内の拡散材料１０によって拡散されて外部に出射される。そのため、光源２の光源サイズはＳ１の大きさであるが、半導体レーザチップからの照射光が拡散部材６内で拡散されることにより、光源２の見かけの光源サイズがＳ２の大きさにまで拡がる。このようにして光源２の見かけの光源サイズを拡大することにより、利用者の生体に対する安全性を確保している。
【００５３】
なお、図６に示すように、拡散部材６の表面の形状はレンズ形状となっている。拡散部材６の表面のレンズ形状を適宜変更することにより、拡散部材６内で拡散された半導体レーザチップからの照射光の放射角θを制御することができる。
【００５４】
図４及び図５を用いて説明したように、レーザ光を拡散部材６に透過させることでレーザ光のアイセーフ化を実現しているが、アイセーフ化の手法はこれに限定されるものではない。例えば、拡散材料１０を高濃度に含む拡散部材を用いて、傾斜面または湾曲面からなる反射面を形成し、これにレーザ光を照射することで、レーザ光のアイセーフ化を実現してもよい。この場合、上述したように、反射面の形状を適宜変更することにより、半導体レーザチップからの照射光の放射角θを制御することができる。あるいは、上述した拡散部材６内にレーザ光を透過させる方法と、拡散部材によってレーザ光を反射する方法とを適宜組み合わせた方式を用いてもよい。
【００５５】
（光源の偏光比）
偏光比とは、光源２の主偏光面以外の偏光面を有する光の強度に対する、光源２の主偏光面を有する光の強度の比である。本実施形態に係る光源２の偏光比は、３以上であることが好ましく、９以上であることがさらに好ましい。
【００５６】
光源２の偏光比が３以上、すなわち光源２からの照射光のうち主偏光面に偏光している光が７５％以上であると、例えば、図１に示した構成では、光源２から照射され、撮像対象５を透過せずに撮像対象５の隙間または周辺を通過した非透過光のうち少なくとも７５％の光を偏光フィルタ３により遮ることが可能となる。
【００５７】
これは、撮像対象５の内部を透過せずに撮像対象５の隙間または周辺を通過した非透過光は、光源２から照射されたときの主偏光面をそのまま維持しているため、透過面が光源２の照射光の主偏光面と直交するように配置された偏光フィルタ３により遮断されるためである。このため、撮像対象５を透過することなく、撮像対象５の隙間または周辺を通過しただけの光のうち、主偏光面に偏光している７５％の光が撮像素子４に直接到達することを阻止することができる。これによれば、撮像対象５の輪郭部分でのハレーション等に起因する生体情報の欠落を抑制することができ、生体認証を行うのに好適な撮像画像を得ることができる。
【００５８】
また、光源２の偏光比が９以上、すなわち光源２からの照射光のうち主偏光面に偏光している光が９０％以上であると、同じ理由により、撮像対象５の内部を透過せずに撮像対象５の隙間または周辺を通過した非透過光のうち少なくとも９０％の光を偏光フィルタ３により遮ることができる。
【００５９】
これによれば、撮像対象５の輪郭部分でのハレーション等に起因する生体情報の欠落をより確実に抑制することができるため、生体情報のコントラスト（例えば、静脈部分と静脈以外の部分とのコントラスト）が明確になり、生体情報に応じた輝度分布が明確に再現された非常に良好な撮像画像を得ることができる。
【００６０】
なお、光源２の偏光比が２未満、すなわち光源２からの照射光のうち主偏光面に偏光している光が約６７％未満であると、光源２からの照射光のうち撮像対象５の内部を透過せずに撮像対象５の隙間または周辺を通過した非透過光が偏光フィルタ３によって遮られることなく透過する光の量が増加するため、撮像画像が不明瞭となる。
【００６１】
光源２の偏光比は、拡散部材６内の拡散材料１０の材質及び濃度、ならびに拡散部材６の厚み及び表面の仕上がり状態によって決まる。そこで、光源２の偏光比は、拡散材料１０として用いる材料に応じて、当該材料の濃度及び拡散部材６の厚みを適宜調整することで制御することができる。
【００６２】
〔実施形態２の変形例〕
撮像装置１の光源２として使用するアイセーフレーザとしては、実施形態２に例示したＣＡＮ型パッケージの半導体レーザに限定されるものではなく、例えば、表面実装型パッケージ（ＳＭＤパッケージ）の半導体レーザであってもよい。
【００６３】
そこで、本発明に係る光源として使用し得る表面実装型パッケージ（ＳＭＤパッケージ）の半導体レーザについて、図７を参照して説明する。図７は、本実施形態に係る光源２ａの半導体レーザチップ周辺の概略構成を示す図である。図中の（ａ）は、樹脂部を透視した上面図であり、（ｂ）は、（ａ）のＡ１−Ａ１矢視断面図であり、（ｃ）は、（ａ）のＢ１−Ｂ１矢視断面図であり、（ｄ）は、樹脂部の立体形状を示すための斜視図である。
【００６４】
図７に示すように、光源２ａは、レーザ光を左右両側の左発光端面１００ｌと右発光端面１００ｒとから照射する半導体レーザチップ１００、半導体レーザチップ１００を載置するサブマウント１０２、金属製リードフレーム（以下、省略してリードフレームと称する）１０４と樹脂部１０６とを有するパッケージ（基板）１０８、及びワイヤ１１０を有している。
【００６５】
パッケージ１０８は、リードフレーム１０４の周囲を部分的に樹脂部１０６により覆った（パッケージした）部材である。樹脂部１０６には、半導体レーザチップ１００より照射されたレーザ光を反射させるための反射面１１６が形成されている。
【００６６】
樹脂部１０６に使用される樹脂としては、例えば、ＬＥＤ光源のパッケージに一般的に使用されるＰＣＴ樹脂及びＰＰＡ樹脂等が挙げられる。これらの樹脂を用いてインジェクション成型によって反射面１１６を成型することが可能である。ただし、樹脂及び成型方法はこれに限定されるものではない。樹脂としては、上述した樹脂以外にも、エポキシ樹脂及びシリコーン樹脂等を使用してもよく、成型法としては、トランスファーモールド、圧縮成型法を使用してもよい。また、通例、ＬＥＤの発光素子に用いられる熱可塑性樹脂、熱硬化性樹脂、またはＵＶ硬化性樹脂等を含む樹脂を用いることも可能であり、ＬＥＤの発光素子において使用される成型の手法を使用することが可能である。
【００６７】
リードフレーム１０４は、アノード部１０４ａと、カソード部１０４ｃとを含み、ワイヤ１１０及びサブマウント１０２上に形成された電極パターン（非表示）を介して、半導体レーザチップ１００のカソードと、半導体レーザチップ１００のアノードとに、それぞれ電気的に接続されている。
【００６８】
半導体レーザチップ１００は、リードフレーム１０４のアノード部１０４ａ及びカソード部１０４ｃを介して供給された電力により発振し、レーザ光を左発光端面１００ｌと右発光端面１００ｒとから左右対称に照射する。左発光端面１００ｌ及び右発光端面１００ｒからそれぞれ放射した光は、樹脂部１０６に形成された左右の反射面１１６での反射により、立ち上げられ、開口１２４を経由して、パッケージ１０８の外に放射される。本実施形態では、光軸１１８をリードフレーム１０４に対して垂直に採っているが、光軸は反射面１１６の形状を変えることで、リードフレーム１０４に対して傾斜させることも可能である。
【００６９】
（アイセーフ化、配光特性及び偏光比）
通常使用される半導体レーザチップは、理想的な直線光線ではなく、発光端面から放射されるとき、例えば、半導体レーザチップの共振器に対して垂直方向に２０度程度、水平方向に１０度程度の開き角を持って放射される。このため、図７に示した光源２ａの半導体レーザチップ１００の照射直後の見かけの光源サイズは数μｍから十数μｍ程度であるが、光源２ａの端面から放射されるときには、反射面１１６において反射されることによって見かけの光源サイズが当初の光源サイズと比較して十分に拡がる。
【００７０】
このようにして、光源２ａの見かけの光源サイズが拡大することにより、利用者の生体に対する安全性を確保している。さらに、反射面１１６を樹脂によって形成することにより、鏡面を反射面１１６として用いた場合に比べてアイセーフ性は高まる。
【００７１】
また、図７に示した光源２ａの変形例を図８に示す。図８は、カバー１２８が設けられた光源２ｂの半導体レーザチップ周辺の概略構成を示す図である。図中の（ａ）は、樹脂部を透視した上面図であり、（ｂ）は、（ａ）のＡ２−Ａ２矢視断面図であり、（ｃ）は、（ａ）のＢ２−Ｂ２矢視断面図であり、（ｄ）は、樹脂部の立体形状を示すための斜視図である。
【００７２】
図８に示すように、開口１２４の外側に光学的に透明なカバー１２８を配置してもよい。このカバー１２８にフィラー等の拡散材料を含有させ、カバーの厚み及び拡散材料の濃度を調整することにより、光源２ｂの配光特性及び偏光比を目的に応じて調整することができる。拡散材料として用いられるフィラーは、例えば、シリカ、アルミナ、酸化チタン及びジルコニア等の無機材料、またはこれらの混合物である。
【００７３】
図７に示した光源２ａの偏光比の代表的な値は、例えば、６０〜１００程度であるが、図８に示した光源２ｂでは、カバー１２８の厚み及びカバーに含有させる拡散材料の濃度を調整することにより、偏光比を２〜１００の間で調整することができる。
【００７４】
〔実施形態３〕
（透過型撮像装置と反射型撮像装置とのハイブリット）
本発明に係る撮像装置を備える生体認証装置の一実施形態を図９に示す。図９は、本実施形態に係る生体認証装置の概略図である。以下では、利用者の手を撮像することにより手の静脈パターンを取得する場合を例に挙げて、本実施形態に係る生体認証装置について説明する。
【００７５】
図９に示すように、生体認証装置１５は、撮像装置１ａと、照合処理装置１４とを有している。撮像装置１ａは、光源２、第１の偏光フィルタ３ａ及び第１の撮像素子４ａを有している。光源２は、撮像対象５である手の甲側から赤外線の偏光を照射している。また、第１の撮像素子４ａは、撮像対象５における光入射面とは反対側の面側（ここでは、手の平側）に配置されており、第１の偏光フィルタ３ａは、第１の撮像素子４ａと撮像対象５との間に配置されている。
【００７６】
第１の偏光フィルタ３ａ及び第１の撮像素子４ａは、それぞれ図１に示した偏光フィルタ３及び撮像素子４に相当する。したがって、第１の偏光フィルタ３ａは、その透過面が光源２の主偏光面に対して直交するように配置されており、光源２から照射された光のうち、撮像対象５を透過していない非透過光、及び撮像対象５の内部を散乱せずに透過した透過光を遮断し、撮像対象５の内部を散乱して透過した透過光を透過させる。
【００７７】
第１の撮像素子４ａは、第１の偏光フィルタ３を透過した光を受光して撮像対象５の撮像を行うことにより、撮像対象５である手の平側（特に指の腹側）の静脈パターンに応じた輝度分布が再現された撮像画像を生成する。
【００７８】
撮像装置１ａは、さらに第２の偏光フィルタ３ｂ及び第２の撮像素子４ｂを有している。第２の撮像素子４ｂは、撮像対象５における光入射面側（ここでは、手の甲側）に配置されており、第２の偏光フィルタ３ｂは、第２の撮像素子４ｂと撮像対象５との間に配置されている。第２の偏光フィルタ３ｂは、その透過面が光源２の主偏光面に対して直交するように配置されている。
【００７９】
光源２より光が撮像対象５に照射されると、照射光の一部は、撮像対象５の表面で鏡面反射し、入射光の偏光面が維持された状態で反射する。一方、光源２からの照射光の他の一部は、撮像対象５の内部に取り込まれたのち、内部で散乱反射を繰り返しながら、その過程で光の一部は静脈によって吸収され、特定の偏光面を有さない状態で皮膚表面から出射される。
【００８０】
このため、第２の偏光フィルタ３ｂは、光源２から照射された光のうち、撮像対象５の表面で鏡面反射した鏡面反射光を遮断し、撮像対象５の内部において散乱反射した散乱反射光を透過させる。
【００８１】
第２の撮像素子４ｂは、第２の偏光フィルタ３ｂを透過した光を受光して撮像対象５の撮像を行うことにより、撮像対象５である手の甲側の静脈パターンに応じた輝度分布が再現された撮像画像を生成する。
【００８２】
このようにして、生体認証装置１５では、指の腹側の撮像画像と、手の甲側の撮像画像との２つの撮像画像を得ることができる。照合処理装置１４では、各撮像画像に含まれる指の腹側の静脈情報と、手の甲側の静脈情報とを、予め収集されている静脈情報と照合することにより、生体認証を行う。生体認証装置１５では、一度に複数の生体情報が得られ、複数の生体情報を用いて生体認証を行うことができるため、生体認証の精度を向上させることができる。
【００８３】
ここで、光源２から撮像対象５に対して斜めに照射する光の主偏光面が、Ｐ偏光面になるように光源２を配置するとよい。これにより、撮像対象５の表面における鏡面反射を抑制することができ、生体内部に入射する光量が増える。その結果、第２の撮像素子４ｂにより得られる撮像画像はより鮮明になり、撮像装置１ａの撮像精度が向上する。
【００８４】
なお、第１の偏光フィルタ３ａ及び第１の撮像素子４ａの位置は、撮像対象５を透過した透過光が到達する位置であれば特に限定されない。例えば、図１０に示すように、光源２の光軸上に、第１の偏光フィルタ３ａ及び第１の撮像素子４ａを配置してもよい。図１０は、第１の偏光フィルタ３ａ及び第１の撮像素子４ａを光源２の光軸上に配置した場合の生体認証装置の概略図である。
【００８５】
このような生体認証装置１５は、一般に利用が考えられている現金自動預け払い機（ＡＴＭ）に代表される金融決済用途、自動車及び家の鍵、会社及び集合住宅でのセキュリティー用途等に限定されるものではなく、国際見本市、スタジアム、劇場、コンサート会場、アミューズメントパーク及び遊園地といった大勢の人が集まる場所における生体認証装置としての活用が見込まれる。このような場所では、短い時間で大量のセキュリティー情報を処理する必要性があることから、瞬時に鮮明な生体情報が得られる本発明に係る撮像装置は、このような場所における生体認証装置に好適な撮像装置である。
【００８６】
〔まとめ〕
本発明の態様１に係る撮像装置１は、撮像対象５として生体情報を含む部位を撮像する撮像装置１であって、赤外線の偏光を照射する光源２と、上記光源２から照射された偏光のうち、上記撮像対象５を透過していない非透過光、及び上記撮像対象５の内部を散乱せずに透過した透過光を遮断し、上記撮像対象５の内部を散乱して透過した透過光を透過させる偏光フィルタ３と、上記偏光フィルタ３を透過した光を受光して上記撮像対象５を撮像する撮像素子４と、を備える。
【００８７】
撮像対象５の隙間または周辺を通過した非透過光が偏光フィルタ３を介さずに撮像素子４に入射すると、撮像対象５の内部を散乱して透過した透過光よりも非透過光の方が光の強度が高いため、非透過光が到達した部分では撮像画像が飽和してしまう。また、非透過光は、ハレーションを引き起こすため、撮像対象５の稜線が不明瞭となる。そこで、上記の構成によれば、撮像対象５を透過していない非透過光が偏光フィルタ３によって遮断されるので、非透過光がハレーションを引き起こし、撮像対象５の稜線が不明瞭となることを防ぐことができる。
【００８８】
また、生体の厚みが薄い部分では、生体の厚みが厚い部分と比較して光が透過しやすく、撮像対象５の内部を散乱せずに透過する透過光が多い。この透過光の量の差により撮像画像上で輝度ムラが生じ、必要とする生体情報が撮像画像上で再現されなくなる虞がある。そこで、上記の構成によれば、撮像対象５の内部を散乱せずに透過した透過光が偏光フィルタ３によって遮断されるので、輝度ムラの発生を抑制及び軽減することができる。
【００８９】
これにより、撮像対象５全体にわたって鮮明な撮像画像が得られ、本実施形態に係る撮像装置１の撮像精度を向上させることができる。また、本発明の一態様に係る撮像装置１によれば、光源２を細心の注意を払って配置することは求められず、簡便な光学系を用いながら撮像対象５全体にわたって鮮明な撮像画像を得ることができる。したがって、本発明の一態様に係る撮像装置１によれば、簡便な光学系を用いながら撮像精度を向上させることができる。
【００９０】
また、本発明の態様２に係る撮像装置１は、上記態様１において、上記偏光フィルタ３は、透過面が上記光源２の主偏光面に対して直交するように配置されている。
【００９１】
上記の構成によれば、光源２から照射された光のうち、撮像対象５を透過していない非透過光、及び撮像対象５の内部を散乱せずに透過した透過光の偏光面は変化しないため、当該光は偏光フィルタ３を透過しない。一方、光源２から照射された光のうち、撮像対象５の内部を散乱して透過した透過光は特定の偏光面を持たないため、当該光の一部は偏光フィルタ３を透過する。
【００９２】
このようにして、偏光フィルタ３により、撮像対象５を透過していない非透過光、及び上記撮像対象５の内部を散乱せずに透過した透過光を遮断することができるため、生体情報に応じた散乱透過光の輝度分布が良好に再現された撮像画像を得ることができる。
【００９３】
また、本発明の態様３に係る撮像装置１は、上記態様１または２の態様において、上記光源２は、半導体レーザである。
【００９４】
上記の構成によれば、光源２から照射される光は特定の波長を有し、特定の偏光面を有している。そのため、本発明の一態様に係る光源には波長フィルタ及び偏光フィルタ等のフィルタを用いる必要がない。これにより、フィルタを透過することによる光のロス、すなわち光の強度の低下を抑えることができる。そのため、本発明の一態様に係る撮像装置１の撮像精度を向上させることができる。また、フィルタが不要となるため、光源２をコンパクトにすることができ、モバイル機器への搭載も可能である。さらに、フィルタを設ける必要がないため、光源のコストを低く抑えることができる。
【００９５】
さらに、半導体レーザでは、光源側で波長フィルタを透過させなくても急峻な波長ピークが得られる。このため、半導体レーザの波長ピークに適合した窓を持つカットフィルタを撮像素子４に前置することにより、外乱光を有効に排除することが可能となる。すなわち、光源２からの特有の波長の光を外乱光に邪魔されることなく撮像素子４で受光できるので、外乱光に邪魔されることなく光源２からの特有の波長の光により撮像対象５内部の情報を得ることができる。よって、カットフィルタを撮像素子４に前置するだけで撮像装置１の撮像精度を更に向上させることができる。
【００９６】
また、本発明の態様４に係る撮像装置１は、上記態様３において、上記半導体レーザは、アイセーフレーザである。
【００９７】
上記の構成によれば、利用者の生体、特に眼に対する安全を確保することができる。
【００９８】
また、本発明の態様５に係る撮像装置１は、上記態様４において、上記半導体レーザの偏光比は、３以上であり、好ましくは９以上である。
【００９９】
上記の構成によれば、生体認証に好適な撮像画像を得ることができる。
【０１００】
また、上記態様１〜５のいずれかの態様に係る撮像装置１を備える生体認証装置１５も本発明の範疇に入る。
【０１０１】
本発明の一態様に係る撮像装置１の撮像精度が向上するため、当該撮像装置１を備えた生体認証装置１５の生体認証精度も向上する。
【０１０２】
さらに、本発明の態様６に係る生体認証装置１５は、上記光源２は、上記撮像対象５である指に対して当該指の背側から赤外線の偏光を照射し、上記撮像素子４は、上記指の腹側に配置されており、上記偏光フィルタ３は、上記指と上記撮像素子４との間に配置されており、上記撮像素子４が撮像した上記指の腹側の撮像画像を用いて生体認証を行う。
【０１０３】
上記の構成によれば、指の腹側全体にわたって得られた鮮明な撮像画像を用いて生体認証を行うことができる。
【０１０４】
また、本発明の態様７に係る生体認証装置１５は、上記態様６において、上記光源２は、主偏光面がＰ偏光面となるように配置されている。
【０１０５】
上記の構成によれば、撮像対象５に対して傾斜して入射する光の主偏光面が、Ｐ偏光面になるようにすると、撮像対象５の表面における鏡面反射を抑制することができ、生体内部に入射する光量が増える。その結果、撮像装置により得られる撮像画像はより鮮明になり、撮像装置１の撮像精度を向上させることができ、生体認証装置１５の生体認証精度も向上する。
【０１０６】
また、本発明の態様８に係る生体認証装置１５は、上記態様６または７において、上記撮像装置１は、上記指の背側に配置された第２の撮像素子４ｂと、上記指と上記第２の撮像素子４ｂとの間に配置され、上記指の表面において反射した光を遮断し、上記指の内部において反射した光を透過させる第２の偏光フィルタ３ｂと、をさらに備えており、上記撮像素子４が撮像した上記指の腹側の撮像画像と、上記第２の撮像素子４ｂが撮像した上記指の背側または手の甲側の撮像画像とを用いて生体認証を行う。
【０１０７】
上記の構成によれば、第２の撮像素子４ｂによって、手の甲側の撮像画像を得ることができる。これにより、指の腹側の撮像画像と、手の甲側の撮像画像との各撮像画像に含まれる指の腹側の静脈情報と、手の甲側の静脈情報とを得ることができる。本発明の一態様に係る生体認証装置１５では、このように一度に複数の生体情報が得られ、当該複数の生体情報を用いて生体認証を行うことができるため、生体認証の精度を向上させることができる。
【符号の説明】
【０１０８】
１  撮像装置
２，２ａ，２ｂ  光源
３  偏光フィルタ
３ａ  第１の偏光フィルタ
３ｂ  第２の偏光フィルタ
４  撮像素子
４ａ  第１の撮像素子
４ｂ  第２の撮像素子
５  撮像対象
１５  生体認証装置
【図１】
2017115512.tif 000003
【図２】
2017115512.tif 000004
【図３】
2017115512.tif 000005
【図４】
2017115512.tif 000006
【図５】
2017115512.tif 000007
【図６】
2017115512.tif 000008
【図７】
2017115512.tif 000009
【図８】
2017115512.tif 000010
【図９】
2017115512.tif 000011
【図１０】
2017115512.tif 000012
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
撮像対象として生体情報を含む部位を撮像する撮像装置であって、
半導体レーザチップからの照射光の見かけの光源サイズを拡大させて得られた、赤外線の偏光を照射する光源と、
上記光源から照射された偏光のうち、上記撮像対象を透過していない非透過光、及び上記撮像対象の内部を散乱せずに透過した透過光を遮断し、上記撮像対象の内部を散乱して透過した透過光を透過させる偏光フィルタと、
上記偏光フィルタを透過した光を受光して上記撮像対象を撮像する撮像素子と、を備えることを特徴とする撮像装置。
【請求項２】
上記偏光フィルタは、透過面が上記光源の主偏光面に対して直交するように配置されていることを特徴とする請求項１に記載の撮像装置。
【請求項３】
上記光源は、半導体レーザであることを特徴とする請求項１または２に記載の撮像装置。
【請求項４】
請求項１〜３のいずれか１項に記載の撮像装置を備えることを特徴とする生体認証装置。
【請求項５】
上記光源は、上記撮像対象である指に対して当該指の背側から赤外線の偏光を照射し、
上記撮像素子は、上記指の腹側に配置されており、
上記偏光フィルタは、上記指と上記撮像素子との間に配置されており、
上記撮像素子が撮像した上記指の腹側の撮像画像を用いて生体認証を行うことを特徴とする請求項４に記載の生体認証装置。
【請求項６】
上記撮像装置は、
上記指の背側に配置された第２の撮像素子と、
上記指と上記第２の撮像素子との間に配置され、上記指の表面において反射した光を遮断し、上記指の内部において反射した光を透過させる第２の偏光フィルタと、をさらに備えており、
上記撮像素子が撮像した上記指の腹側の撮像画像と、上記第２の撮像素子が撮像した上記指の背側の撮像画像とを用いて生体認証を行うことを特徴とする請求項５に記載の生体認証装置。
【手続補正２】
【補正対象書類名】明細書
【補正対象項目名】００１１
【補正方法】変更
【補正の内容】
【００１１】
本発明の一態様に係る撮像装置は、上記の課題を解決するために、撮像対象として生体情報を含む部位を撮像する撮像装置であって、半導体レーザチップからの照射光の見かけの光源サイズを拡大させて得られた、赤外線の偏光を照射する光源と、上記光源から照射された偏光のうち、上記撮像対象を透過していない非透過光、及び上記撮像対象の内部を散乱せずに透過した透過光を遮断し、上記撮像対象の内部を散乱して透過した透過光を透過させる偏光フィルタと、上記偏光フィルタを透過した光を受光して上記撮像対象を撮像する撮像素子と、を備える。
【国際調査報告】
2017115512.tif 000013
2017115512.tif 000014
2017115512.tif 000015
2017115512.tif 000016